(57)【要約】この開示は、量子ネットワーキングのためのトラップされたイオンノードにおける複数の種を用いる態様を記載する。１つの態様において、各メモリキュービットが、１７１Ｙｂ＋原子イオンに基づく、複数のメモリキュービットと、各通信キュービットが、１３８Ｂａ＋原子イオンに基づく、１つまたは複数の通信キュービットを含む量子ネットワーキングノードが記載される。メモリキューピットと通信キュービットは、原子イオントラップ内の格子の一部である。他の態様において、各量子ネットワーキングノードが複数のメモリキュービット（例えば、１７１Ｙｂ＋原子イオンに基づく）と１つまたは複数の通信キュービット（例えば、１３８Ｂａ＋原子イオンに基づく）を含むモジュラー光学アーキテクチャを有する量子コンピューティングシステムが記載される。メモリキュービットと通信キュービットは、原子イオントラップ内の格子の一部である。システムはさらに、複数の量子ネットワーキングノードに結合されたフォトニックエンタングラーを含む。【選択図】図１
2021508382.tif 000002
【特許請求の範囲】
【請求項１】
量子コンピューティングのためのモジュラー光学アーキテクチャに使用するための量子ネットワーキングノードにおいて、
各メモリキュービットが１７１Ｙｂ＋原子イオンに基づく複数のメモリキュービットと、
各通信キュービットが１３８Ｂａ＋原子イオンに基づく、１つまたは複数のキュービットと、
を備え、前記複数のメモリキュービットと１つまたは複数の通信キュービットは、原子イオントラップ内の格子の一部である、量子ネットワーキングノード。
【請求項２】
前記メモリキュービットの１つの１７１Ｙｂ＋原子イオンと、前記通信キュービットの１つの１３８Ｂａ＋原子イオンとの間のローカライズされた接続は、前記１つのメモリキュービットの１７１Ｙｂ＋原子イオン、前記１つの通信キュービットの１３８Ｂａ＋原子イオン、またはその両方に力を適用するように構成された外部レーザフィールドを介して集団運動を少なくとも部分的に制御することにより前記１つのメモリキュービットと前記１つの通信キュービットの結合を介して行われる、請求項１に記載の量子ネットワーキングノード。
【請求項３】
前原子イオントラップは、単一のレーザを受信するように構成され、前記単一レーザの第２の高調波は、前記１つの通信キュービットの１３８Ｂａ＋原子イオンに力を印加する第１の外部レーザフィールドに対応し、前記単一レーザの第３の高調波は、前記１つのメモリキュービットの１７１Ｙｂ＋原子イオンに力を印加する第２の外部レーザフィールドに対応する、請求項２に記載の量子ネットワーキングノード。
【請求項４】
前記単一レーザの第２高調波は、約５３２ナノメートル（ｎｍ）の波長の輝線にあり、前記単一レーザの第３高調波は、約３５５ｎｍの波長の輝線にある、請求項３に記載の量子ネットワーキングノード。
【請求項５】
前記１７１Ｙｂ＋原子イオンは第１の原子種であり、前記１３８Ｂａ＋原子イオンは、第２の原子種であり、前記第１の原子種の原子質量と前記第２の原子種の原子質量は、実質的に、２５％未満の２つの原子質量間の原子質量差分と類似する、請求項１に記載の量子ネットワーキングノード。
【請求項６】
前記１つまたは複数の通信キュービットは、複数の通信キュービットを含み、前記量子ネットワーキングノードは、前記複数の通信キュービット間で多重化するように構成され、前記複数の通信キュービットから光子放出の繰り返し試行を可能にする、請求項１に記載の量子ネットワーキングノード。
【請求項７】
前記１つまたは複数の通信キュービットの任意の１つの前記１３８Ｂａ＋原子イオンは、蛍光により光子を放出するように構成され、前記放出された光子は、１３８Ｂａ＋原子イオンとエンタングルされる、請求項１に記載の量子ネットワーキングノード。
【請求項８】
前記放出された光子のスペクトルの少なくとも一部は、可視スペクトル内にある、請求項７に記載の量子ネットワーキングノード。
【請求項９】
前記放出された光子の輝線は、前記複数のメモリキュービットの前記１７１Ｙｂ＋原子イオンの共振から分離される、請求項７に記載の量子ネットワーキングノード。
【請求項１０】
前記輝線は、約４９３ｎｍおよび６５０ｎｍの波長の放出ラインを含み、前記１７１Ｙｂ＋原子イオンの共振は、約３６９ｎｍの波長である、請求項９に記載の量子ネットワーキングノード。
【請求項１１】
前記約４９３ｎｍおよび６５０ｎｍの波長の前記輝線は、１３８Ｂａ＋原子イオンの基底レベルのゼーマン量子ビット電子を励起状態に接続する可視光線に対応する、請求項１０に記載の量子ネットワーキングノード。
【請求項１２】
各メモリキュービットは、それぞれの１７1Ｙｂ＋原子イオンの２Ｓ１／２基底状態超微細準位にエンコードされるように構成される、請求項１に記載の量子ネットワーキングノード。
【請求項１３】
それぞれの１７１Ｙｂ＋原子イオンの超微細コヒーレンス時間は、約１．５秒以上である、請求項１２に記載の量子ネットワーキングノード。
【請求項１４】
前記それぞれの１７１Ｙｂ＋原子イオンの超微細キュービット状態の分裂は、磁場変動の影響を受けない、請求項１２に記載の量子ネットワーキングノード。
【請求項１５】
各メモリキュービットは、原子状態の集団を超微細レベル間で往復させる必要なく、初期化と検出のためにさらに構成される、請求項１２に記載の量子ネットワーキングノード。
【請求項１６】
各通信キュービットは、１３８Ｂａ＋原子イオンの２Ｓ１/２基底状態電子スピンレベルを使用するように構成される、請求項１に記載の量子ネットワーキングノード。
【請求項１７】
前記格子は線形格子である、請求項１に記載の量子ネットワーキングノード。
【請求項１８】
１つまたは複数の通信キュービットは、格子の一端に、格子の別の端に、または格子の両端に配置された複数の通信キュービットを含む、請求項１に記載の量子ネットワーキングノード。
【請求項１９】
モジュラー光学アーキテクチャを有する量子コンピューティングシステムにおいて、
各量子ネットワーキングノードが、
各メモリキュービットが１７１Ｙｂ＋原子イオンである複数のメモリキュービットと、
各通信キュービットが１３８Ｂａ＋原子イオンである１つまたは複数の通信キュービットを含む複数の量子ネットワーキングノードであって、前記複数のメモリキュービットと前記１つまたは複数の通信キュービットは、原子イオントラップ内の格子の一部である、複数の量子ネットワーキングノードと、
前記複数の量子ネットワーキングノードの各々に結合されたフォトニックエンタングラーと、
を備えた量子コンピューティングシステム。
【請求項２０】
前記複数の量子ネットワーキングノードの各々の各メモリキュービットは、前記それぞれの１７１Ｙｂ＋原子イオンの前記２Ｓ１／２基底状態超微細レベルで符号化されるように構成される、請求項１９に記載の量子コンピューティングシステム。
【請求項２１】
前記複数の量子ネットワーキングノードの各々の各通信キュービットは、前記１３８Ｂａ＋原子イオンの前記２Ｓ１／２基底状態電子スピンレベルを使用するように構成される、請求項１９に記載の量子コンピューティングシステム。
【請求項２２】
前記複数の量子ネットワーキングノードの第１の量子ネットワーキングノードの前記１つまたは複数の通信キュービットの第１の通信キュービットは、前記複数の量子ネットワーキングノードの第２の量子ネットワーキングノードの前記１つまたは複数の通信キュービットの１つとエンタングルされる、請求項１９に記載の量子コンピューティングシステム。
【請求項２３】
前記第１の量子ネットワーキングノードの前記１つまたは複数の通信キュービットの第２の通信キュービットは、前記複数の量子ワーキングノードの第３の量子ネットワーキングノードの前記１つまたは複数の通信キュービットの１つとエンタングルわされる、請求項２２に記載の量子コンピューティングシステム。
【請求項２４】
前記複数の量子ネットワーキングノードの１つの前記１つまたは複数の通信キュービットの任意の１つの前記１３８Ｂａ＋原子イオンは、蛍光により光子を放出するように構成され、前記放出された光子は、前記１３８Ｂａ＋原子イオンとエンタングルされる、請求項１９に記載の量子コンピューティングシステム。
【請求項２５】
前記放出された光子のスペクトルの少なくとも一部は、可視スペクトル内にある、請求項２４に記載の量子コンピューティングシステム。
【請求項２６】
前記フォトニックエンタングラーは、光通信スペクトルで動作するように構成された光ファイバを介して前記複数の量子ネットワーキングノードの各々に結合され、前記量子コンピューティングシステムはさらに、前記放出されたフォトンの可視スペクトルを前記光通信スペクトルのフォトンに変換するための波長コンバータを備えた、請求項２５に記載の量子コンピューティングシステム。
【請求項２７】
前記光通信スペクトルは、約１３００−１５５０ｎｍの波長を含む、請求項２６に記載の量子コンピューティングシステム。
【請求項２８】
前記フォトニックエンタングラーは、前記光通信スペクトルと互換性のある１つまたは複数の光コンポーネントを含む、請求項２６に記載の量子コンピューティングシステム。
【請求項２９】
前記フォトニックエンタングラーは、前記複数の量子ネットワーキングノードからの任意の２つの量子ネットワーキングノード間のエンタングルメントを可能にする１つまたは複数の再構成可能な光スイッチを含む、請求項１９に記載の量子コンピューティングシステム。
【請求項３０】
前記複数の量子ネットワーキングノードの各々の前記１つまたは複数の通信キュービットは、前記格子の一端、前記格子の他端、または前記格子の両端に位置する複数の通信キュービットを含む、請求項１９の量子コンピューティングシステム。
【請求項３１】
量子コンピューティングのためのモジュラー光学アーキテクチャに使用する量子ネットワーキングノードにおいて、
複数のメモリキュービットと、
１つまたは複数の通信キュービットと、
を備え、前記複数のメモリキュービットと、前記１つまたは複数の通信キュービットは、原子イオントラップ内の格子の一部であり、前記メモリキュービットと前記通信キュービットは、異なるイオン種の一部、同種の異なるアイソトープのペア、異なるキュービット基底状態のペア、またはそれらの組み合わせから成る量子ネットワーキングノード。
【請求項３２】
前記異なるイオン種のペアは、Ｙｂ／Ｂａ、Ｃａ／Ｓｒ、またはＢｅ／Ｍｇの１つである、請求項３１に記載の量子ネットワーキングノード。
【請求項３３】
前記異なるイオン種のペアは、Ｃｄ、Ｚｎ、Ａｌの１つまたは複数を含む、請求項３１に記載の量子ネットワーキングノード。
【請求項３４】
前記異なるイオン種のペアは、Ｙｂ／Ｂａであり、Ｙｂのアイソトープは、少なくとも１７１Ｙｂ、１７４Ｙｂ、１７６Ｙｂおよび１７２Ｙｂを含むＹｂの複数のアイソトープから選択され、Ｂａのアイソトープは、少なくとも１３８Ｂａ、１３７Ｂａ、または１３３Ｂａの複数のアイソトープから選択される、請求項３１に記載の量子ネットワーキングノード。
【請求項３５】
前記異なるイオン種のペアは、Ｃａ／Ｓｒであり、Ｃａのアイソトープは、少なくとも４０Ｃａ、４３Ｃａを含む複数のＣａのアイソトープから選択され、Ｓｒのアイソトープは、少なくとも８８Ｓｒ、８７Ｓｒ、および８６Ｓｒを含むＳｒの複数のアイソトープから選択される、請求項３１に記載の量子ネットワーキングノード。
【請求項３６】
前記異なるイオン種のペアは、Ｂｅ／Ｍｇであり、Ｂｅのアイソトープは９Ｂｅであり、Ｍｇのアイソトープは、少なくとも２４Ｍｇ，２５Ｍｇ、２６Ｍｇの複数のアイソトープから選択される、請求項３１に記載の量子ネットワーキングノード。
【請求項３７】
前記同種の異なるアイソトープのペアは、少なくとも１７１Ｙｂ、１７４Ｙｂ、１７６Ｙｂおよび１７２Ｙｂを含む複数のＹｂアイソトープから異なるＹｂアイソトープを有する、請求項３１に記載の量子ネットワーキングノード。
【請求項３８】
前記同種の異なるアイソトープのペアは、少なくとも１３８Ｂａ、１３７Ｂａおよび１３３Ｂａを含む複数のＢａアイソトープからの異なるＢａアイソトープを有する、請求項３１に記載の量子ネットワーキングノード。
【請求項３９】
前記同種の異なるアイソトープのペアは、少なくとも４０Ｃａおよび４３Ｃａを含む複数のＣａアイソトープからの異なるＣａアイソトープを有する、請求項３１に記載の量子ネットワーキングノード。
【請求項４０】
前記同種の異なるアイソトープのペアは、少なくとも８８Ｓｒ、８７Ｓｒおよび８６Ｓｒを含む複数のＳｒアイソトープからの異なるＳｒアイソトープを有する、請求項３１に記載の量子ネットワーキングノード。
【請求項４１】
前記同種の異なるアイソトープのペアは、少なくとも２４Ｍｇ、２５Ｍｇ、および２６Ｍｇを含む複数のＭｇアイソトープからの異なるＭｇアイソトープを有する、請求項３１に記載の量子ネットワーキングノード。
【請求項４２】
前記異なるキュービット基底状態のペアは、超微細状態、ジーマン状態、および光学状態からの２つの異なるキュービット状態を含む、請求項３１に記載の量子ネットワーキングノード。
【請求項４３】
前記複数のメモリキュービットの各々と、前記１つまたは複数の通信キュービットの各々は、超微細状態、ジーマン状態、または光学状態からのキュービット基底状態の選択を有する、請求項３１に記載の量子ネットワーキングノード。
【発明の詳細な説明】
【技術分野】
【０００１】
関連出願の相互参照
この特許出願は、２０１８年１１月６日に出願された、「複数のキュービット種を有する量子ネットワークノード」という発明の名称の米国非仮特許出願第１６／１８２，２１０号、２０１７年１１月７日に出願された、「複数のキュービット種を有する量子ネットワークノード」という発明の名称の米国仮特許出願第６２／５８２，５２９号、および２０１８年７月６日に出願された、「複数のキュービット種を有する量子ネットワークノードおよびプロトコル」という発明の名称の米国仮特許出願第６２／６９４、６０４号の優先権を主張し、参照することにより、その全体が本明細書に組み込まれる。
【０００２】
政府のライセンス権利
この発明は、米国陸軍研究所（ＡＲＬ）から授与されたＷ９１１ＮＦ１５２００６７および空軍科学研究所（ＡＦＯＳＲ）から授与されたＦＡ９５５０１６１０４２１に基づく政府の支援を受けて行われた。米国政府はこの発明における一定の権利を有する。
【背景技術】
【０００３】
この開示の態様は一般に、量子情報処理に関し、特に、量子ネットワーキングのためのトラップイオンノードに複数の種（species）を用いるための技術に関する。トラップされた原子イオンは、汎用で完全にプログラム可能なマシンを提供する量子情報処理（ＱＩＰ）アプローチの１つである。トラップされた原子イオンは、また、量子情報ネットワーク（ＱＩＮｓ）のためのリーディングプラットフォームである。そのようなシステムまたはネットワークの全体の通信を改善することができるトラップされた原子イオンに基づいたシステムまたはネットワークが望まれている。
【発明の概要】
【０００４】
以下は、そのような態様の基本的理解を提供するために１つまたは複数の態様の簡略化された概要を提示する。この要約は、考えられるすべての態様の包括的な概要ではなく、すべての態様の主要なまたは重要な要素を特定したり、一部またはすべての態様の範囲を線引きしたりすることを意図するものではない。その目的は、後に提示する、より詳細な記述への前置きとして、簡単化された形式で１つまたは複数の態様のいくつかの概念を提示することである。
【０００５】
トラップされた原子イオンは、ＱＩＮｓの主要なプラットフォームであり、クーロン相互作用（Coulomb interaction）を介してローカルにエンタングルしたり（entangled）、フォトニックチャネルを介してリモートにエンタングルできる長寿命の同一キュービットメモリを備える。量子ネットワークの単一ノードでローカル操作とリモート操作の両方を実行するには、スペクテータキュービットメモリ（spectator qubit memory）とフォトニックインタフェースに関連付けられたキュービットを極端に分離する必要がある。この開示は、同じノード内で１７１Ｙｂ＋と１３８Ｂａ＋キュービットを同時にトラップすることによってこの分離を達成する方法を記載する。この開示はさらに、混合種のキュービットのペアをそれらの集団運動を通して絡ませ、放出された可視光子で１３８Ｂａ＋キュービットを絡ませることからなる２つの異なる実験の結果に基づくスケーラブルイオントラップネットワークノードの要件を記載する。
【０００６】
この開示の一態様において、各メモリキュービットが１７１Ｙｂ＋原子イオンに基づく複数のメモリキュービットと、各通信キュービット１３８Ｂａ＋原子イオンに基づく１つまたは複数の通信キュービットを含む、量子コンピュータのためのモジュラー光学アーキテクチャに使用する量子ネットワーキングノードが記載される。複数のメモリキュービットと１つまたは複数の通信キュービットは、原子イオントラップ内の格子の一部であり得る。
【０００７】
この開示の他の態様において、複数の量子ネットワーキングノードと、複数の量子ネットワーキングノードの各々に結合されたフォトニックエンタングラー（entangler）を含むモジュラー光学アーキテクチャが記載される。各量子ネットワーキングノードは、各メモリキュービットが１７１Ｙｂ＋原子に基づく複数のメモリキュービットと、各通信キュービットが１３８Ｂａ＋原子イオンに基づく１つまたは複数の通信キュービットを含む。複数のメモリキュービットと、１つまたは複数の通信キュービットは、原子イオントラップ内の格子の一部であり得る。添付図面は、いくつかのインプリメンテーションのみを図示、それゆえ、範囲を限定するものとみなされるべきでない。
【図面の簡単な説明】
【０００８】
【図１】この開示の態様による、複数種のイオントラップネットワークの一例を図示する図である。
【図２（ａ）】この開示の態様による、１３８Ｂａ＋と放出された光子偏光との間の相関例を図示する図である。
【図２（ｂ）】この開示の態様による、１３８Ｂａ＋と放出された光子偏光との間の相関例を図示する図である。
【図３】この開示の態様による、１３８Ｂａ＋と１７１Ｙｂ＋の両方における２Ｐ１／２および２Ｐ３／２レベルへの５３２および３５５ｎｍパルスレーザビームの非共鳴結合の例を示す図である。
【図４（ａ）】この開示の態様による、横方向および軸方向運動の共捕捉（co-trapped）１３８Ｂａ＋−１７１Ｙｂ＋結晶の振動スペクトルの例を示す図である。
【図４（ｂ）】この開示の態様による、横方向および軸方向運動の共捕捉（co-trapped）１３８Ｂａ＋−１７１Ｙｂ＋結晶の振動スペクトルの例を示す図である。
【図５（ａ）】本開示の態様による、実験的ステップの例、および集団運動を直接使用して１３８Ｂａ＋の状態を１７１Ｙｂ＋にマッピングした結果を示す図である。
【図５（ｂ）】本開示の態様による、実験的ステップの例、および集団運動を直接使用して１３８Ｂａ＋の状態を１７１Ｙｂ＋にマッピングした結果を示す図である。
【図６（ａ）】本開示の態様による、ＭＳ相互作用に続くＭＳゲートおよびπ／２回転のエンタングリング後の１７１Ｙｂおよび１３８Ｂａ＋キュービット状態の測定確率の例を示す図である。
【図６（ｂ）】本開示の態様による、ＭＳ相互作用に続くＭＳゲートおよびπ／２回転のエンタングリング後の１７１Ｙｂおよび１３８Ｂａ＋キュービット状態の測定確率の例を示す図である。
【図７（ａ）】この開示による、ネットワークノード、フォトニックエンタングラー（photonic entanglers）、および波長変換器の例を図示する図である。
【図７（ｂ）】この開示による、ネットワークノード、フォトニックエンタングラー（photonic entanglers）、および波長変換器の例を図示する図である。
【図７（ｃ）】この開示による、ネットワークノード、フォトニックエンタングラー（photonic entanglers）、および波長変換器の例を図示する図である。
【図８】この開示の態様による、トラップイオンベースのＱＩＰシステムの一例を図示するブロック図である。
【図９】この開示の態様による、コンピュータデバイスの一例を図示する図である。
【発明を実施するための形態】
【０００９】
添付した図面に関連して以下に記載した詳細な記述は、種々の構成の記述を意図したものであり、ここに記載した概念を実施するための唯一の構成を表すことを意図したものではない。詳細な記述は、種々の概念の完全な理解を提供するための特定の詳細を含む。しかしながら、当業者には、これらの概念がこれらの特定の詳細なしに実施可能であることは明らかであろう。いくつかのインスタンスにおいて、良く知られたコンポーネントは、そのような概念が不明瞭にならないように、ブロック図の形態で示される。
【００１０】
トラップされた原子イオンは、量子情報ネットワーク（ＱＩＮ）の最も高度なプラットフォームの1つであり、本質的に同一であり、比類のないコヒーレンスプロパティを持つキュービットメモリをホストする。ネットワークの単一ノードは、トラップされたイオンのチェーンで実現することができ、ローカルエンタングリングゲート操作は、集団運動を通じてキュービット状態に結合する外部制御フィールドを使用する。ネットワークのエッジは、個別のノードの選択された「通信」キュービット間のフォトニックエンタングリング操作によりインプリメントすることができる。しかしながら、単一の共鳴光子でさえも量子メモリを破壊する可能性があるので、通信キュービットのフォトニックインタフェースは、観客のメモリキュービットを妨害しないかもしれない。そのような分離は、２つの異なる種の原子イオンを用いることにより最も良く達成され、図１に示すように、一方は、ローカル処理およびメモリ用であり、他方は、他ノードとの通信用である。
【００１１】
図１は、１３８Ｂａ＋通信キュービット１２５が光ファイバに結合された他種イオントラップネットワークを備えたダイアグラム１００を示す。それらの親原子とエンタングルされたフォトンを用いて、例えば、異なるノード１１０ａ、１１０ｂ、１１０ｃにおける任意の１３８Ｂａ＋キュービットペアを再構成可能なフォトニックエンタングラー１２０を介してエンタングルすることができる。ローカルクーロン相互作用は、このエンタングルメントをノード内の近くの１７１Ｙｂ＋メモリキュービット１１５と量子論理ゲートに転送する。２つの種（たとえば、１７１Ｙｂ＋メモリキュービット１１５と１３８Ｂａ＋通信キュービット１２５）の異種または異なる電子遷移周波数は、必要な分離を提供して、１３８Ｂａ＋メモリキュービット１１５を１３８Ｂａ＋フォトニックインタフェースの共振プロセスから保護する。
【００１２】
この開示は、潜在的な量子ネットワークで使用するための多種イオントラップノードのさまざまな成分または要件について記載する。これらの要件は、メモリと通信キュービット間のコヒーレント量子状態マッピングと、通信キュービットとエンタングルされるフォトニックキュービットの生成を含むことができる。たとえば、メモリキュービットは、１７１Ｙｂ＋原子イオンの２Ｓ１／２基底状態の超微細「クロック」レベルでエンコードされる。
【数１】
2021508382.tif 000003
通信キュービットの場合、この開示では、１３８Ｂａ＋原子イオンの２Ｓ１／２基底状態電子スピンレベル
【数２】
2021508382.tif 000004
の使用を提案している。１３８Ｂａ＋システムは、比較的長い波長の光子輝線（たとえば、４９３ナノメートル（ｎｍ）と６５０ｎｍ）を備えており、フォトニックインタフェースの技術要件を緩和し、３６９ｎｍでの１７１Ｙｂ＋共振からの必要な分離を提供する。この開示は、１７１Ｙｂ＋キュービットの測定されたコヒーレンス時間（約１．５秒）が、蛍光や、ちょうど数ミクロン離れて配置された連続ドップラー冷却１３８Ｂａ＋キュービットに関連する駆動レーザ光の影響を受けないことを観察することによる、これら２種間の分離の検証について記載する。動的デカップリングパルスを適用すると、１０分を超える１７１Ｙｂ＋超微細キュービットコヒーレンス時間が、近接する１３８Ｂａ＋イオンを交感神経冷却（sympathetic cooling）に使用する同様の設定で報告されている。
【００１３】
１７１Ｙｂ＋キュービット状態のほぼ完全なシングルショット検出には、標準的なスピン依存蛍光コレクションを使用可能である。１３８Ｂａ＋イオンキュービットは、そのような孤立したサイクル遷移を欠いているため、１３８Ｂａ＋キュービット状態を検出するには、多くの同一のものが平均化される。１３８Ｂａ＋キュービットは１７１Ｙｂ＋メモリキュービット間のリンクとしてのみ使用されているため、この孤立したサイクル遷移の欠如は、多種ネットワークアーキテクチャでは問題にならない。１３８Ｂａ＋キュービットがクーロンベースのゲートを介して隣接する１７１Ｙｂ＋メモリにマッピングされると、量子情報処理は１３８Ｂａ＋通信キュービットの状態検出に依存する必要がなくなる。しかしながら、状態測定技術をインプリメントすることは、１３８Ｂａ＋システムの較正と診断に依然として有効である
【００１４】
フォトニックコミュニケーションキュービットとしての使用に加えて、１３８Ｂａ＋イオンを１７１Ｙｂ＋キュービットの交感神経冷却（sympathetic cooling）に使用して、より忠実度の高い量子操作のための低運動フォノン固有状態（low motion phonon eigenstates）での占有を維持することができる。２Ｓ１／２−２Ｐ１／２遷移の約１２０ＭＨｚの青色に調整された４９３ｎｍのレーザビームを使用して、電磁誘導透過（ＥＩＴ）冷却技術をインプリメントすることができる。レーザビームは、青側波帯遷移とキャリア遷移が抑制される一方で、赤側波帯遷移が選択的に励起される狭い原子レーザのドレス状態共振（dressed state resonance）を導入する。この技術を用いて、１３８Ｂａ＋および１７１Ｙｂ＋の２イオン結晶の動きを、
【数３】
2021508382.tif 000005
（逆位相モード）および
【数４】
2021508382.tif 000006
（同相モード）に冷却することが可能であり得る。
【００１５】
通信キュービットは、情報をメモリキュービットにすばやく転送でき、そこで保存して後で使用できるため、長いコヒーレンス時間を必要としない場合がある。ただし、磁場感度が約２．８ｋＨｚ／ｍＧと高いため、Ｚｅｅｍａｎ  １３８Ｂａ＋キュービットのコヒーレンス時間が短いため、情報転送操作中にエラーが発生する可能性がある。任意波形発生器を使用して、６０Ｈｚ以上の高調波に磁場を適用し、完全な位相と振幅を制御して、背景磁場を部分的にキャンセルすることが可能である。この手法により、１３８Ｂａ＋コヒーレンス時間が１００マイクロ秒（μｓ）から約４ミリ秒（ｍｓ）に増加する可能性があり、これは、転送操作のゲート時間よりもはるかに長い時間である。
【００１６】
フォトニックインタフェースは、１３８Ｂａ＋キュービットを放出された光子と後選択手順（postselection procedure）でエンタングルすることにより実証可能である。たとえば、約１μｓで、キュービットを｜↓〉状態に初期化して、確率Ｐｅｘｃ≒１０％２Ｐ１／２｜Ｊ＝１／２、ｍＪ＝＋１／２〉レベルに弱く励起することができる。〜５００ｋＨｚの平均実験反復率を達成するために、５０回のエンタングルメント試行の後に５０μｓのドップラー冷却光を当てることができる。励起後、原子はσ+偏光光子を放出する｜↓〉状態、またはπ偏光光子を放出する｜↑〉状態に減衰します。量子化軸に垂直な光子が収集される。 それゆえ、π光子はこの基準（｜Ｖ〉）で垂直偏光として登録され、σ+光子は水平偏光（｜Ｈ〉）として登録される。光子が収集されるとすれば、これは理想的には１３８Ｂａ＋キュービットと光子偏光キュービットの間のエンタングルされた状態となる｜↓〉｜Ｖ〉＋｜↑〉｜Ｈ〉。
【００１７】
図２（ａ）および２（ｂ）は、１３８Ｂａ＋キュービットと複数の基底での放出された光子偏光との相関を示す。より具体的には、２（ａ）と２（ｂ）は、複数の基底における原子と光子キュービットの状態間の相関測定を示す。これらの測定から、（事後選択した）エンタングルメントの忠実度を
【数５】
2021508382.tif 000007
であると推測することができる。エラーは、大きな立体角（１０％）、励起ステップでの多光子散乱（例：Ｐ＿ｅｘｃ／４＝２．５％）、不完全な状態の初期化または検出（例えば、１％）による偏光混合に起因する可能性がある。これらの誤差の原因は、量子化軸に沿って光子を収集し、パルスレーザーを使用して原子を高速に励起することで大幅に削減することができる。
【００１８】
図２（ａ）を参照すると、図２００は、光電子増倍管（ＰＭＴ）を使用することにより、光子キュービット状態｜Ｖ〉（明るい青）または｜Ｈ〉（暗い赤）を検出することを条件とした｜↑〉で１３８Ｂａ＋キュービットを見つける確率の測定値を示す。半波長板（ＨＷＰ）はフォトニックキュービットを回転させ、データは０およびπ／４のＨＷＰ角度に対応する２つの測定値を示す。
【００１９】
図２（Ｂ）を参照すると、図２５０は、ＨＷＰをπ／８に固定することによって回転される光子偏光を示し、｜Ｈ〉→｜Ｈ〉−｜Ｖ〉および｜Ｖ〉→｜Ｈ〉＋｜Ｖ〉である。後続の光子検出では、原子を重ね合わせ（superposition）（｜↑〉＋｜↓〉）｜Ｈ〉＋（｜↑〉−｜↓〉）｜Ｖ〉に投影する。次に、｜Ｖ〉または｜Ｈ〉の光子を検出した後、原子の重ね合わせ状態(superposition states)が、π／２または３π／２の位相を有するπ／２回転により｜↓〉と｜↑〉にコヒーレントに回転し、キュービットと光子の間の高い相関を回復する。
【００２０】
上述の態様に加えて、本開示は、量子ネットワークノードにおける２つの種の間の決定論的量子ゲートをさらに記載する。単一のレーザを使用して、両方の原子イオン（例えば、両方の種の原子イオン）でコヒーレントラマン遷移を駆動し、１７１Ｙｂ＋と１３８Ｂａ＋キュービット間のコヒーレントな情報交換を行うことができる。以下でさらに説明するのは、トラップされたイオンの集団運動とキュービット間の分散型Ｍｏｌｍｅｒ−Ｓｏｒｅｎｓｅｎ（ＭＳ）量子ゲートに共鳴結合することによるダイレクトＣｉｒａｃ−Ｚｏｌｌｅｒ（ＣＺ）マッピングプロセスである。
【００２１】
Ｎｄ：ＹＶＯ４モードロックパルスレーザー（Spectra-Physics Vanguard）を使用して、異なる振動固有モードとキュービット状態の間の遷移を駆動できる非共伝搬ラマンビーム（Raman beams）（たとえば、異なる方向に伝搬するビーム）を導入できます。図３のダイアグラム３００に示すように、これらのビームは励起レベルに非共鳴的に結合し、周波数が３倍の３５５ｎｍ出力が１７１Ｙｂ＋システムに使用され、同じレーザからの周波数が２倍の５３２ｎｍ出力が１３８Ｂａ＋システムに使用される。誘導ラマン遷移は、２つのビーム間のビートノート周波数がキュービット分割に近いときに駆動される。すべての量子化軸に垂直な直線偏光を選択できるため、各種のａｃスタークシフト（ac Stark shifts)の差を最小限に抑えながら、目的のラマン遷移を駆動することができる。光周波数コムの広い帯域幅は、ラマン回転の１７１Ｙｂ＋キュービット周波数１２．６４２８２１ＧＨｚに簡単に及ぶ。２つのラマンビームのビートノート周波数を安定させるために、３５５ｎｍのビームの1つを変調するフィードフォワード技術を使用して、レーザの繰り返し率の変化を補正する。１３８Ｂａ＋キュービット分割は数メガヘルツしかないため、このキュービットで遷移を駆動するために複数の櫛歯の分離は必要ない場合があり、したがって、５３２ｎｍビームではビートノートの安定化は必要ない場合がある。
【００２２】
図３を参照すると、偏光が示されている状態で、誘導ラマン遷移を駆動するために、１３８Ｂａ＋および１７１Ｙｂ＋原子系の両方における２Ｐ１／２および２Ｐ３／２レベルへの５３２および３５５ｎｍパルスレーザビームの非共鳴結合が示されている。図３に示す分割は、例示の目的で提供されており、一定の縮尺で示される必要はない。
【００２３】
３５５ｎｍの放射は、名目上は１７１Ｙｂ＋キュービットにのみ、５３２ｎｍは１３８Ｂａ＋キュービットにのみ結合するが、他の原子系への少量のクロストーク結合がある。コムスペクトルや光の偏光に関係なく、強度が等しい場合、１７１Ｙｂ＋システムは、５３２ｎｍの放射からの有効なラビ（Ｒａｂｉ）周波数を、名目上の３５５ｎｍの放射ラビ周波数の約２．６％であると感じるかもしれない。同様に、１３８Ｂａ＋システムは、３５５ｎｍの放射から約１１％のラビ周波数を感じる可能性がある。ただし、必要なレーザ偏光と周波数コムスペクトルは２つの原子キュービット遷移で異なり、これらの態様を使用して、２つのシステム間のクロストークを１％未満に減らすことができる。キュービットラビサイクルごとの自発ラマン散乱率は、両方の原子種で１０−５未満であり、単一（２−）キュービットゲートで１０−５（１０−４）未満の誤差になる。１３８Ｂａ＋システムにおける５３２ｎｍからのまれな自発的散乱は、１３８Ｂａ＋システムを２Ｐ３／２レベルを通して、３２秒の寿命を持つ準安定２Ｄ５／２状態に光学的にポンピングするように見える。これらのまれなポンプ現象は、たとえば、６１４ｎｍで２Ｄ５／２から２Ｐ３／２への遷移を、約３０ミリ秒でイオンを基底状態に戻すのに十分な強度で励起する拡散１ワットのオレンジ色の発光ダイオード（中心は６１７ｎｍ）でイオンを照射することで克服することができる。
【００２４】
以下に詳細に記載する図４（ａ）のダイアグラム４００に示すように、それらの類似の原子質量にもかかわらず、１３８Ｂａ＋および１７１Ｙｂ＋イオンの結合された対の横運動は、所与のモードについてそれらの振幅において大きな不整合を示し、イオン間のより小さい運動結合をもたらす。この理由により、以下に詳細に記載する、図４の図４５０に示されるように、よりよく整合された軸モードが代わりに使用されてもよい。結晶鎖内のイオンの数が増えると、横モードでの運動固有ベクトルの不一致はそれほど重要ではなくなり、これらのモードを使用して、より高いモード周波数から利益を得ることができる。
【００２５】
図４（ａ）および４（ｂ）は、横方向（図４（ａ））および軸方向（図４（ｂ））の運動方向について、共捕捉された１３８Ｂａ＋−１７１Ｙｂ＋結晶のラマン側波帯振動スペクトルを示す。キュービット状態を変化させる測定された確率は、１３８Ｂａ＋の場合は、明るい青で、１７１Ｙｂ＋の場合は、濃い紫でプロットされ、共有運動フォノン状態が保持されるキャリア遷移からの離調の関数としてプロットされる。正（負）の値のピークは、スピン反転がフォノンの加算（減算）を伴う青（赤）サイドバンド遷移に対応する。同相（ＩＰ）と逆相（ＯＰ）に対応する側波帯は、横方向（ｘ，ｙ）と軸方向（ｚ）の運動方向にラベルが付けられ、理論上の固有ベクトルの振幅が右側に示される。ラベル付けされていないピークは、高次の側波帯、および１つのモードからのフォノンの減算や別のモードでのフォノンの加算など、複数のモードを含む相互作用に対応する。
【００２６】
最初に、Ｃｉｒａｃ−Ｚｏｌｌｅｒ（ＣＺ）マッピングスキームで集団運動を直接使用することにより、１３８Ｂａ＋のキュービット状態が１７１Ｙｂ＋に転送される。以下でより詳細に説明する図５（ａ）のダイアグラム５００に示される手順は、ＥＩＴ冷却とキャリア遷移を伴う１３８Ｂａ＋スピン状態の準備から始まる。次に、１３８Ｂａ＋システムでの赤側波帯π回転により、情報が共有フォノンモードに転送される。この情報は、１７１Ｙｂ＋システムでさらに赤側波帯π回転で１７１Ｙｂ＋キュービットに転送される。以下に詳細に記載される図５（ｂ）の図５５０に示されるように、０．７５の全体的な状態伝達効率は、主に初期の運動状態の純度によって制限されていた。しかし、ＣＺ法の主な欠点は、通信キュービットとＣＺマッピング操作の間の位相コヒーレンスの必要性である。通信キュービットはフォトニックチャネルを介して従前のエンタングルメントを有する可能性があるため、ＣＺマッピング方法では、光路を光波長よりもはるかに安定させる必要がある。
【００２７】
図５（ａ）を参照すると、ダイアグラム５００は、集団運動を直接使用して１３８Ｂａ＋の状態を１７１Ｙｂ＋にマッピングするための上記の実験ステップの詳細を示す。上記のように、手順はＥＩＴ冷却（５３０）で始まり、その後にキュービット状態（ＱＩ）が
【数６】
2021508382.tif 000008
に初期化される（５０５、５３５）。初期化の後、時間Ｔにわたる１３８Ｂａ＋キュービットの誘導ラマン回転Ｒ（Ｔ）（５１０）は、転送される状態を準備する。１３８Ｂａ＋キュービットの赤側波帯π回転（ＲＳＢ  π）（５１５）は、この情報を共有フォノンモードに転送し、次に、別の赤側波帯π回転（５２０）で１７１Ｙｂ＋キュービットに転送される。最終ステップにおいて、１７１Ｙｂ＋キュービット状態を測定することができる（５２５）。
【００２８】
図５（ｂ）を参照すると、ダイアグラム５５０は、約０．７５の観察状態転送効率で、１３８Ｂａ＋キュービット回転時間Ｔの関数として、
【数７】
2021508382.tif 000009
に１７１Ｙｂ＋キュービットを見つける確率を表すデータを示す。
【００２９】
上記の機能に加えて、上記の制限を緩和するＭｏｌｍｅｒ−Ｓｏｒｅｎｓｅｎ（ＭＳ）転送方法がされる。ＭＳ転送スキームでは、エンタングルメントと状態転送の忠実度はラムディッケ制限（Lamb-Dicke limit）に制限するだけでよく、３００μｓのドップラー冷却とそれに続く５００μｓのＥＩＴ冷却で達成可能である。ＭＳエンタングルゲートは、非共伝搬ラマンビームのペアを使用して対称離調（symmetric detuning）δで軸外相モード（axial out-of-phase mode）を同時に処理することにより、本明細書に記載のシステムで実現することができる。３５５ｎｍと５３２ｎｍのパルスペアは異なる経路をたどるので、必ずしも同時に原子に入射するわけではない。重要なことに、これらのペア間の一時的なオーバーラップは、ＭＳの相互作用には必要ない。ラマンビームを使用したスピン依存の力は、各原子に異なる時間に適用可能である。結果は、絡み合った状態の静的な位相であり、光路長または３５５ｎｍと５３２ｎｍの駆動フィールドの無線周波数（ＲＦまたはｒｆ）ビートノート（beatnote）位相の差を調整することで制御可能である。これらのスピン依存力は、位相空間で特定の２キュービット状態の運動波パケットを変位させる。ウォルシュ変調を組み込んで、周波数とタイミングのエラーを抑制することができ、ゲート時間Ｔ＝２００μｓで離調（detuning）がδ＝１０ｋＨｚになると、動きは元の状態に戻り、通常のＭＳゲートのように幾何学的位相を取得する。駆動場の光強度は、ＭＳ相互作用の後にπ／２の幾何学的位相となるΩ＝δ／４ηのキャリアＲａｂｉ周波数を取得するように調整される。ただし、ηはＬａｍｂ−Ｄｉｃｋｅパラメータである。取得した幾何学的位相を監視することにより、正しい光学力の位相を見つける。ショット間の相対光学力位相を維持するために、同じ任意波形発生器を使用して、３５５ｎｍおよび５３２ｎｍのレーザビームの音響光学変調器を駆動することができる。図６（ａ）および６（ｂ）に示されるように、この操作の忠実度は、およそ
【数８】
2021508382.tif 000010
であり、この低い忠実度は、例えば、軸外相モードの過度の加熱
【数９】
2021508382.tif 000011
に起因する可能性がある。
【００３０】
図６（ａ）は、エンタングルＭＳゲートが初期
【数１０】
2021508382.tif 000012
状態に適用された後の１７１Ｙｂ＋および１３８Ｂａ＋キュービット状態の測定された確率を示す図６００を示す。この相互作用は、理想的には最大に絡み合った
【数１１】
2021508382.tif 000013
状態を作成する。駆動場の光学位相は、ゲート位相φＳでスピンに刻印される。
【００３１】
図６（ｂ）は、ＭＳ相互作用に続く図６５０を示し、ここで、π／２回転が両方のキュービットに適用される。１３８Ｂａ＋π／２パルスの位相は一定に保たれ、１７１Ｙｂ＋π／２回転位相がスキャンされる。データは、最大パリティポイント
【数１２】
2021508382.tif 000014
で測定されたキュービット状態確率を示す。
【００３２】
光学フィールドの位相がこの相互作用の後にエンタングルド状態（entangled state）に刻印されていても、相対的なπ位相差を持つ２つの連続したＭＳゲートを使用して、通信キュービット（たとえば、１３８Ｂａ＋キュービット）からメモリキュービット（たとえば、１７１Ｙｂ＋キュービット）に、余分な光学位相を刻印する必要なしに、コヒーレントに転送することができる。したがって、量子ネットワークにおけるリモートとローカルのエンタングルメントオペレーション間の位相コヒーレンスは、追加の単一キュービット操作または特別なビーム形状でＭＳゲートからの光位相依存性を直接排除する必要なしに確立することができる。
【００３３】
この開示で説明される様々な技術および態様に基づいて、フォトニックベル状態分析器を使用して量子ネットワークを多くのノードに拡張し、フォトニック接続を作成することが可能である。多くの相互接続されたノードにスケーリングするために、原子光子（atom-photon）と原子原子のエンタングルメント（atom-atom entanglement）の忠実度と速度を大幅に改善することが可能である。第１に、フォトニックキュービットを偏光ではなく２つの異なる周波数にエンコードすると、リモート通信キュービットの忠実度が大幅に向上することが期待される。第２に、光学素子が組み込まれた製造されたチップトラップを使用すると、ノード間の接続速度が向上することが期待される。さらに、構造の均一性と再現性に起因するイオンの位置安定性、および手動で組み立てられたトラップに匹敵する加熱速度（heating rates）（Sandia National Laboratoriesの
【数１３】
2021508382.tif 000015
高光学的アクセス微細加工イオントラップなど）は、これらの作製されたトラップで、メモリと通信キュービット間のより高い忠実度のモーショナルゲート（motional gates）を可能にする可能性がある。
【００３４】
上記の多種イオントラップネットワークに関連する追加の態様を以下に示す。例えば、量子コンピューティング用のモジュラー光学アーキテクチャで使用するための量子ネットワーキングノード（例えば、図１のノード１１０ａ、１１０ｂ、および１１０ｃ）は、複数のメモリキュービット（例えば、メモリキュービット１１５）を含むことができ、各メモリキュービットは、１７１Ｙｂ＋原子イオン、および１つ以上の通信キュービット（例えば、通信キュービット１２５）上で、各通信キュービットは、１３８Ｂａ＋原子イオンに基づく。複数のメモリキュービットおよび１つまたは複数の通信キュービットは、原子イオントラップ（例えば、図８のイオントラップ８７０を参照）内の格子の一部であり得る。一例では、ラティスは線形ラティスであり得る。
【００３５】
そのような量子ネットワーキングノードの一態様では、メモリキュービットの1つの１７１Ｙｂ＋原子イオンと通信キュービットの１つの１３８Ｂａ＋原子イオンの間の局所的な接続は、１つのメモリキュービットの１７１Ｙｂ＋原子イオン、1つの通信キュービットの１３８Ｂａ＋原子イオン、またはその両方に力を加えるように構成された外部レーザ場を介して、それらの集団運動を少なくとも部分的に制御することにより、１つのメモリキュービットと１つの通信キュービットを結合することによって行われる。たとえば、原子イオントラップは単一レーザを受信するように構成でき、単一レーザの第２高調波は、1つの通信キュービットの１３８Ｂａ＋原子イオンに力を加える最初の外部レーザ場に対応し、単一レーザの第３高調波は1つのメモリキュービットの１７１Ｙｂ＋原子イオンに力を加える２番目の外部レーザ場に対応します。さらに、単一レーザの第２高調波は、約５３２ｎｍの波長の輝線にあり、単一レーザの第３高調波は、約３５５ｎｍの波長の輝線にある。
【００３６】
このような量子ネットワークノードの別の態様では、１７１Ｙｂ＋原子イオンは、最初の原子種であり、１３８Ｂａ＋原子イオンは、２番目の原子種であり、最初の原子種の原子質量と２番目の原子種の原子質量は実質的に 同様に、２つの原子質量の原子質量差は、２５％未満である。
【００３７】
そのような量子ネットワーキングノードの別の態様では、１つまたは複数の通信キュービットは、複数の通信キュービットを含み、量子ネットワーキングノードは、複数の通信キュービット間で多重化して、複数の通信キュービットからの光子放出の繰り返し試行を可能にするように構成される。さらに、１つまたは複数の通信キュービットは、格子の一端、格子の別の端、または格子の両端に配置された複数の通信キュービットを含む。例えば、図７（ａ）は、複数の通信キュービット１２５を有するノード１１０の例を示す図７００、７１０、および７２０を示す。ダイアグラム７００は、複数の通信キュービット（例えば、通信ビット１２５）を有するノード１１０を示し、少なくとも１つの通信キュービットが、格子（メモリキュービット１１５も含む）の各端に配置される。ダイアグラム７１０は、（メモリキュービット１１５も含む）格子の一端に複数の通信キュービット（例えば、通信キュ−ビット１２５）を有するノード１１０を示す。ダイアグラム７２０は、（メモリキュービット１１５も含む）格子の別の端部に複数の通信キュービット（例えば、通信キュービット１２５）を有するノード１１０を示す。
【００３８】
そのような量子ネットワーキングノードの別の態様では、１つまたは複数の通信キュービットのいずれか１つの１３８Ｂａ＋原子イオンは、蛍光を通して光子を放出するように構成され、放出された光子は１３８Ｂａ＋原子イオンとエンタングルされる。一例では、放出された光子のスペクトルの少なくとも一部は、可視スペクトル内にある。放出された光子の輝線は、複数のメモリキュービットの１７１Ｙｂ＋原子イオンの共鳴から分離することができる。輝線は、約４９３ｎｍおよび６５０ｎｍの波長の輝線を含むことができ、１７１Ｙｂ＋原子イオンの共鳴は、約３６９ｎｍの波長にある。約４９３ｎｍおよび６５０ｎｍの波長の輝線は、１３８Ｂａ＋原子イオンの基底レベルの電子ゼーマン（Zeeman）キュービット状態を励起状態に接続する可視光線に対応する。
【００３９】
そのような量子ネットワーキングノードの別の態様では、各メモリキュービットは、それぞれの１７１ＹＢ＋原子イオンの２Ｓ１／２基底状態超微細準位にエンコードされるように構成することができる。それぞれの１７１Ｙｂ＋原子イオンの超微細状態コヒーレンス時間は、約１．５秒以上である。それぞれの１７１Ｙｂ＋原子イオンの超微細キュービット状態の分割は、磁場の変動（電子磁気モーメントまたは１．４ＭＨｚ/ガウスの「ボーアマグネトン（Bohr Magneton）」よりはるかに小さい）に非常に鈍感である。さらに、各メモリキュービットは、原子状態の集団を超微細レベル間で往復させる必要なく、初期化と検出のためにさらに構成することができる。
【００４０】
そのような量子ネットワークノードの別の態様では、各通信キュービットは、１３８Ｂａ＋原子イオンの２Ｓ１／２基底状態電子スピンレベルを使用するように構成することができる。
【００４１】
上述の多種イオントラップネットワークに関連する別の例は、複数の量子ネットワークノード（例えば、図１のノード１１０ａ、１１０ｂ、および１１０ｃ）を含むことができるモジュラー光学アーキテクチャを有する量子コンピューティングシステムであり得、各量子ネットワークノードは、複数のメモリキュービット（たとえば、メモリキュービット１１５）を含み、各メモリキュービットは、１７１Ｙｂ＋原子イオンに基づいており、1つ以上の通信キュービット（たとえば、通信キュービット１２５）を含み、各通信キュービットは、１３８Ｂａ＋原子イオンに基づく。複数のメモリキュービットおよび１つまたは複数の通信キュービットは、原子イオントラップ（例えば、図８のイオントラップ８７０を参照）の格子の一部であり得る。複数の量子ネットワーキングノードのそれぞれの１つまたは複数の通信キュービットは、格子の一端、格子の別の端、または格子の両端に配置された複数の通信キュービットを含む（例えば、図７（ａ）を参照）。システムはさらに、複数の量子ネットワーキングノードの各々に結合されたフォトニックエンタングラー（例えば、図１のフォトニックエンタングラー１２０）を含むことができる。
【００４２】
そのような量子コンピューティングシステムの一態様では、複数の量子ネットワーキングノードのそれぞれの各メモリキュービットは、それぞれの１７１Ｙｂ＋原子イオンの２Ｓ１／２基底状態超微細レベルでエンコードされるように構成される。そのような量子コンピューティングシステムの別の態様では、複数の量子ネットワークノードのそれぞれの各通信キュービットは、１３８Ｂａ＋原子イオンの２Ｓ１／２基底状態電子スピンレベルを使用するように構成される。
【００４３】
そのような量子コンピューティングシステムの他の態様において、複数の量子ネットワーキングノードの第１の量子ネットワーキングノードの１つまたは複数の通信キュービットの第１の通信キュービットは、複数の量子ネットワーキングノードの第２の量子ネットワーキングノードの１つまたは複数の通信キュービットの１つとエンタングルされる。さらに、第１のキュービットネットワーキングノードの１つまたは複数の通信キュービットの第２の通信キュービットは、複数の量子ネットワーキングノードの第３の量子ネットワーキングノードの１つまたは複数の通信キュービットの１つとエンタングルされる。そのような量子コンピューティングシステムの他の態様において、複数の量子ネットワーキングノードの１つにおける１つまたは複数の通信キュービットの任意の１つの１３８Ｂａ＋原子イオンは、蛍光によるフォトンを放出するように構成され、放出されたフォトンは、１３８Ｂａ＋原子イオンとエンタングルされる。放出されたフォトンのスペクトルの少なくとも一部は、可視スペクトル内である。さらに、フォトニックエンタングラーは、光通信スペクトルで動作するように構成された光ファイバを介して複数の量子ネットワーキングノードの各々に結合され、量子コンピューティングシステムはさらに、放出されたフォトンの可視スペクトルを光通信スペクトルに変換する波長コンバータを備える。一例において、光通信スペクトルは、約１３００−１５５０ｎｍの波長を含む。フォトンエンタングラーは、光通信スペクトルと互換性のある１つまたは複数の光コンポーネントを含むことができる。例えば、フォトニックエンタングラーは、複数の量子ネットワーキングノードからの任意の２つの量子ネットワーキングノード間のエンタングルメントをイネーブルにするための１つまたは複数の再構成可能な光スイッチを含むことができる。図７（ｂ）および７（ｃ）はそれぞれフォトニックエンタングラーと波長コンバータの例を図示する。例えば、図７（ｂ）のダイアグラム７３０は、１つまたは複数のコンポーネント７３５ａ、・・・、７３５ｎを有するフォトニックエンタングラー１２０を示し、これらのコンポーネントは、上述したように、再構成可能な光スイッチのような光通信スペクトルと互換性のあるコンポーネントを含むことができる。図７（ｃ）のダイアグラム７５０は、ある形態の情報を運ぶ光および／または光子を可視スペクトルから光通信スペクトルに変換するように構成された波長コンバータ７６０を示す。
【００４４】
メモリキュービット１１５および通信キュ-ビットの様々な例は、それぞれ１７１Ｙｂ＋メモリキュービット１１５および１３８Ｂａ通信キュービット１２５に関連して上記で説明されているが、これらの例は、限定ではなく例示の目的で提供されていることを理解されたい。メモリキュービット１１５および通信キュービット１２５は、通信キュービット１２５がメモリキュービット１１５の機能に影響を与えないように、十分に異なるように選択することができる。これは、（１）異なるイオン種で作成する、（２）十分な違いがある限り、同じ種の異なる同位体で作成する、異なるキュービット基底状態（たとえば、超微細状態と他のタイプの状態）を選択する、または（４）それらの組み合わせからなるメモリキュービット１１５と通信キュービット１２５を有することにより達成することができる。
【００４５】
例えば、異なるイオン種に関して、Ｙｂ／Ｂａを上記のように使用することができるが、Ｃａ／Ｓｒ、Ｂｅ／Ｍｇ、またはこれらのいずれかの組み合わせも使用することができる。他は、Ｃｄ、Ｚｎ、Ａｌ等を含むことができる。これらの種に対して異なるアイソトープを使用することができる。例えば、Ｙｂ／Ｂａの場合、１７１Ｙｂ、１７４Ｙｂ、１７６Ｙｂ、１７２Ｙｂのいずれか、および１３８Ｂａ、１３７Ｂ、１３３Ｂａ等のいずれかを使用することができる。Ｃａ／Ｓｒの場合４０Ｃａ、４３Ｃａ等のいずれか、および８８Ｓｒ、８７Ｓｒ、等のいずれかを使用することができる。Ｂｅ／Ｍｇの場合、９Ｂｅおよび２４Ｍｇ、２５Ｍｇ、２６Ｍｇ等のいずれかを使用することができる。
【００４６】
上記の異なるイオン種を使用する場合の各キュービットの選択は、超微細（各イオン種の奇数同位体）、ゼーマン（任意の種）、または光学キュービット（Ｙｂ、Ｂａ、Ｃａ、ＳｒおよびＭｇの場合）であり得る。
【００４７】
また、上述したように、同じ種の異なるアイソトープを、メモリキュービット１１５と通信キュービット１２５に使用することができる。たとえば、１７１Ｙｂ、１７４Ｙｂ、１７６Ｙｂ、または１７２Ｙｂなどのうち２つをメモリおよび通信キュービットに使用でき、１３８ｂａ、１３７Ｂａ、１３３Ｂａなどのうち２つをメモリおよび通信キュービットに使用でき、４０Ｃａ、４３Ｃａのうち２つを、メモリおよび通信キュービットに使用でき、８８Ｓｒ、８７Ｓｒ、８６Ｓｒなどの２つは、メモリおよび通信キュービットに使用でき、または、２４Ｍｇ、２５Ｍｇ、２６Ｍｇなどの２つは、メモリおよび通信キュービットに使用することができる。
【００４８】
さらに、メモリキュービット１１５と通信キュービット１２５の異なる組み合わせを用いて異なるノード１１０を作ることができる。例えば、１つのノード１１０は、イオン種（例えば、Ｙｂ／Ｂａ）の１つのセットを用いて１つのノード１１０を作ることができ、別のノード１１０は、イオン種（例えば、Ｃａ／ＳｒまたはＢｅ／Ｍｇ）の別のセットを用いて作ることができる。他の例において、１つのノード１１０は、同じ種（例えば、Ｙｂの異なるアイソトープ）のアイソトープの１つのセっとを用いて作ることができ、他のノード１１０は、同じ種（例えば、Ｃａの異なるアイソトープ）のアイソトープの他のセットを用いて作ることができる。イオン種の異なるセット、同じ種の同位体の異なるセット、および/またはキュービット基底状態の異なるキュービット選択（例：超微細）で構成されるノードの異なる組み合わせは、図１のダイアグラム１００で上述したような多種イオントラップネットワークの一部として使用することができる。
【００４９】
図８は、本開示の態様によるＱＩＰシステム８００の例を示すブロック図である。ＱＩＰシステム８００は、量子コンピューティングシステム、量子コンピューティングネットワーク、コンピュータデバイス等と呼ぶことができる。一態様において、ＱＩＰ８００は、図１の他種イオントラップネットワークの一部に対応することができ、あるいは図９のコンピューティングデバイス９００の量子コンピュータインプリメンテーションに対応することができる。
【００５０】
ＱＩＰシステム８００は、光コントローラ８２０によりイオン化されると原子種をトラップするイオントラップ８７９を有するチャンバ８５０に原子種を提供するソース８６０を含むことができる。光コントローラ８２０内の光源８３０は、原子種のイオン化、原子イオンの制御（例えば、位相制御）、光コントローラ１０２０内のイメージングシステム１０４０内で動作するアルゴリズムを画像処理することによりモニタおよびトラッキングすることができる原子イオンの蛍光に使用することができ、および／または量子ネットワーキングのためのトラップされたイオンノード内の複数の種を用いることに関連して記載したこれらを含む他の態様に使用することができる１つまたは複数のレーザソースを含むことができる。イメージングシステム８４０は、イオントラップ８７０に提供されている間（例えば、カウントするため）またはイオントラップ８７０に提供された後に（例えば、原子イオン状態をモニタリングするために）、原子イオンを監視するための高解像度イメージャ（例えば、ＣＣＤカメラ）を含むことができる。一態様では、イメージングシステム８４０は、光学コントローラ８２０とは別にインプリメントすることができるが、画像処理アルゴリズムを使用して原子イオンを検出、識別、および標識（label）するための蛍光の使用は、光学コントローラ８２０と調整する必要がある場合がある。
【００５１】
ＱＩＰシステム８００は、また、上述したインプリメンテーションを使用する量子アルゴリズム（例えば、ＱＦＴ、量子シミュレーション）を実行するためにＱＩＰの他の部分と動作することができるアルゴリズムコンポーネント８１０を含むことができる。アルゴリズムコンポーネント８１０は、量子回路、またはそれらと等価なもののインプリメンテーションをイネーブルにするためにＱＩＰシステム（例えば、光コントローラ１０２０へ）の種々のコンポーネントへ命令を供給することができる。すなわち、アルゴリズムコンポーネント８１０は、例えば、イオントラップ８７０を使用して、異なるコンピューティングプリミティブを物理表現にマッピングすることを可能にすることができる。
【００５２】
ＱＩＰシステム８００は、図１のダイアグラム１００の他種イオントラップネットワークに示されたコンポーネント、または構造の１つまたは複数、並びに、図７（ａ）、７（ｂ）、７（ｃ）に示すいくつかの、またはすべてのコンポーネントをインプリメントすることができる。
【００５３】
図９を参照すると、この開示の態様による、例示コンピュータデバイス９００が図示される。コンピュータデバイス９００は、例えば、単一のコンピューティングデバイス、複数のコンピューティングデバイス、分散コンピューティングシステム、あるいはコンピューティングネットワークの少なくとも一部を表すことができる。コンピュータデバイス９００は、量子コンピュータ、古典的コンピュータ、量子および古典的コンピューティング機能の組み合わせとして構成することができる。
【００５４】
一例において、コンピュータデバイス９００は、ここに記載した特徴の１つまたは複数と関連づけられた処理機能を実行するためのプロセッサ９１０を含むことができる。プロセッサ９１０は、プロセッサまたはマルチコアプロセッサの単一のセットまたは複数のセットを含むことができる。さらに、プロセッサ９１０は、統合処理システムおよび／または分散処理システムとしてインプリメントすることができる。プロセッサ９１０は、中央処理装置（ＣＰＵ）、量子処理ユニット（ＱＰＵ）、グラフィクス処理ユニット（ＧＰＵ）、またはこれらのタイプのプロセッサの組み合わせを含むことができる。
【００５５】
一例において、コンピュータデバイス９００は、ここに記載した機能を実行するためにプロセッサにより実行可能な命令を記憶するメモリ９２０を含むことができる。例えば、１つのインプリメンテーションにおいて、メモリ９２０は、ここに記載した１つまたは複数の機能または動作を実行するためのコードまたは命令を記憶するコンピュータ可読記憶媒体に対応することができる。一例において、メモリ９２０は、１つまたは複数のメモリキュービットを含むことができる。
【００５６】
さらに、コンピュータデバイス９００は、ここに記載したハードウェア、ソフトウェアおよびサービスを利用した１つまたは複数のパーティとの通信の確立と維持を提供する通信コンポーネント９３０を含むことができる。通信コンポーネント９３０は、コンピュータデバイス９００上のコンポーネント間、並びに、コンピュータデバイス９００と、外部デバイス、例えば、通信ネットワーク上のデバイスおよび／またはコンピュータデバイス９００にシリアルにまたはローカルに接続されたデバイス間で通信を実行することができる。例えば、通信コンポーネント９３０は、１つまたは複数のバスを含むことができ、さらに、外部デバイスとインタフェースするように動作可能な、それぞれトランスミッタとレシーバに関連づけられた送信チェーンコンポーネントと受信チェーンコンポーネントを含むことができる。通信コンポーネント９３０の態様を用いて図１に示す他種イオントラップネットワークをインプリメントすることができる。
【００５７】
さらに、コンピュータデバイス９００は、データストア９４０を含むことができ、データストア９４０がここに記載したインプリメンテーションに関連して採用された命令、データベースおよびプログラムのマスストレージを提供するハードウェアおよび／またはソフトウェアの任意の適切な組み合わせであり得る。例えば、データストア９４０は、オペレーティングシステム９６０（例えば、古典的ＯＳ、または量子ＯＳ）のためのデータリポジトリ（data repository）であり得る。
１つのインプリメンテーションにおいて、データストア９４０はメモリ９２０を含むことができる。
【００５８】
コンピュータデバイス９００は、コンピュータデバイス９００のユーザから入力を受信するように動作可能であり、さらに、ユーザに提示するために出力を生成するように動作可能であり、あるいは異なるシステムに（直接または間接）提供するように動作可能なユーザインタフェースコンポーネント９５０を含むこともできる。ユーザインタフェースコンポーネント９５０は、これらに限定されないが、キーボード、テンキー、マウス、タッチセンサー式ディスプレイ、デジタイザ、ナビゲーションキー、ファンクションキー、マイク、音声認識コンポーネント、ユーザからの入力を受信することができる任意の他のメカニズム、またはそれらの組み合わせを含むことができる。さらに、ユーザインタフェースコンポーネント９５０は、これらに限定されないが、ディスプレイ、スピーカ、ハプティックフィードバックメカニズム、プリンタ、出力をユーザに提示することができる任意の他のメカニズム、またはそれらの任意の組み合わせを含むことができる。
【００５９】
１つのインプリメンテーションにおいて、ユーザインタフェースコンポーネント９５０は、オペレーティングシステム９６０の動作に対応するメッセージを送信および／または受信することができる。さらに、プロセッサ９１０は、オペレーティングシステム９６０、および／またはアプリケーションまたはプログラムを実行することができ、メモリ９２０またはデータストア９４０はそれらを記憶することができる。
【００６０】
コンピュータデバイス９００がクラウドベースインフラストラクチャソリューションの一部としてインプリメントされると、ユーザインタフェースコンポーネント９５０を用いて、クラウドベースインフラストラクチャソリューションのユーザが遠隔でコンピュータデバイス９００を相互作用することができる。
【００６１】
コンピュータデバイス９００は、図１のダイアグラム１００の他種イオントラップネットワークに示されるコンポーネントまたはストラクチャの１つまたは複数をインプリメントすることができ、並びに図７（ａ）、７（ｂ）、および７（ｃ）に示されるコンポーネントのいくつかまたはすべてをインプリメントすることができる。例えば、通信コンポーネント９３０は、ノード１１０、フォトニックエンタングラー１２０、および／または波長コンバータ７６０の１つまたは複数をインプリメントすることができる。
【００６２】
この開示は、図示したインプリメンテーションに従って提供されるけれども、当業者は、実施形態に対する変形を認識し、これらの変形がこの開示の範囲内であることを認識するであろう。さらに、多くの変形が添付した請求項の範囲から逸脱することなく当業者により実施することができる。
【図１】
2021508382.tif 000016
【図２（ａ）】
2021508382.tif 000017
【図２（ｂ）】
2021508382.tif 000018
【図３】
2021508382.tif 000019
【図４（ａ）】
2021508382.tif 000020
【図４（ｂ）】
2021508382.tif 000021
【図５（ａ）】
2021508382.tif 000022
【図５（ｂ）】
2021508382.tif 000023
【図６（ａ）】
2021508382.tif 000024
【図６（ｂ）】
2021508382.tif 000025
【図７（ａ）】
2021508382.tif 000026
【図７（ｂ）】
2021508382.tif 000027
【図７（ｃ）】
2021508382.tif 000028
【図８】
2021508382.tif 000029
【図９】
2021508382.tif 000030
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
量子コンピューティングのためのモジュラー光学アーキテクチャに使用するための量子ネットワーキングノードにおいて、
各メモリキュービットが１７１Ｙｂ＋原子イオンに基づく複数のメモリキュービットと、
各通信キュービットが１３８Ｂａ＋原子イオンに基づく、１つまたは複数の通信キュービットと、
を備え、前記複数のメモリキュービットと１つまたは複数の通信キュービットは、原子イオントラップ内の格子の一部であり、前記１つまたは複数の通信キュービットは、前記格子の一端、前記格子の他端、または前記格子の両端のいずれかに配置される量子ネットワーキングノード。
【請求項２】
前記メモリキュービットの１つの１７１Ｙｂ＋原子イオンと、前記通信キュービットの１つの１３８Ｂａ＋原子イオンとの間のローカライズされた接続は、前記１つのメモリキュービットの１７１Ｙｂ＋原子イオン、前記１つの通信キュービットの１３８Ｂａ＋原子イオン、またはその両方に力を適用するように構成された外部レーザフィールドを介して集団運動を少なくとも部分的に制御することにより前記１つのメモリキュービットと前記１つの通信キュービットの結合を介して行われる、請求項１に記載の量子ネットワーキングノード。
【請求項３】
前原子イオントラップは、単一のレーザを受信するように構成され、前記単一レーザの第２の高調波は、前記１つの通信キュービットの１３８Ｂａ＋原子イオンに力を印加する第１の外部レーザフィールドに対応し、前記単一レーザの第３の高調波は、前記１つのメモリキュービットの１７１Ｙｂ＋原子イオンに力を印加する第２の外部レーザフィールドに対応する、請求項２に記載の量子ネットワーキングノード。
【請求項４】
前記単一レーザの第２高調波は、約５３２ナノメートル（ｎｍ）の波長の輝線にあり、前記単一レーザの第３高調波は、約３５５ｎｍの波長の輝線にある、請求項３に記載の量子ネットワーキングノード。
【請求項５】
前記１７１Ｙｂ＋原子イオンは第１の原子種であり、前記１３８Ｂａ＋原子イオンは、第２の原子種であり、前記第１の原子種の原子質量と前記第２の原子種の原子質量は、実質的に、２５％未満の２つの原子質量間の原子質量差分と類似する、請求項１に記載の量子ネットワーキングノード。
【請求項６】
前記１つまたは複数の通信キュービットは、複数の通信キュービットを含み、前記量子ネットワーキングノードは、前記複数の通信キュービット間で多重化するように構成され、前記複数の通信キュービットから光子放出の繰り返し試行を可能にする、請求項１に記載の量子ネットワーキングノード。
【請求項７】
前記１つまたは複数の通信キュービットの任意の１つの前記１３８Ｂａ＋原子イオンは、蛍光により光子を放出するように構成され、前記放出された光子は、１３８Ｂａ＋原子イオンとエンタングルされる、請求項１に記載の量子ネットワーキングノード。
【請求項８】
前記放出された光子のスペクトルの少なくとも一部は、可視スペクトル内にある、請求項７に記載の量子ネットワーキングノード。
【請求項９】
前記放出された光子の輝線は、前記複数のメモリキュービットの前記１７１Ｙｂ＋原子イオンの共振から分離される、請求項７に記載の量子ネットワーキングノード。
【請求項１０】
前記輝線は、約４９３ｎｍおよび６５０ｎｍの波長の放出ラインを含み、前記１７１Ｙｂ＋原子イオンの共振は、約３６９ｎｍの波長である、請求項９に記載の量子ネットワーキングノード。
【請求項１１】
前記約４９３ｎｍおよび６５０ｎｍの波長の前記輝線は、１３８Ｂａ＋原子イオンの基底レベルのゼーマン量子ビット電子を励起状態に接続する可視光線に対応する、請求項１０に記載の量子ネットワーキングノード。
【請求項１２】
各メモリキュービットは、それぞれの１７1Ｙｂ＋原子イオンの２Ｓ１／２基底状態超微細準位にエンコードされるように構成される、請求項１に記載の量子ネットワーキングノード。
【請求項１３】
それぞれの１７１Ｙｂ＋原子イオンの超微細コヒーレンス時間は、約１．５秒以上である、請求項１２に記載の量子ネットワーキングノード。
【請求項１４】
前記それぞれの１７１Ｙｂ＋原子イオンの超微細キュービット状態の分裂は、磁場変動の影響を受けない、請求項１２に記載の量子ネットワーキングノード。
【請求項１５】
各メモリキュービットは、原子状態の集団を超微細レベル間で往復させる必要なく、初期化と検出のためにさらに構成される、請求項１２に記載の量子ネットワーキングノード。
【請求項１６】
各通信キュービットは、１３８Ｂａ＋原子イオンの２Ｓ１/２基底状態電子スピンレベルを使用するように構成される、請求項１に記載の量子ネットワーキングノード。
【請求項１７】
前記格子は線形格子である、請求項１に記載の量子ネットワーキングノード。
【請求項１８】
前記１つまたは複数の通信キュービットは、その全てが、前記格子の前記一端に配置されるか、または、その全てが、前記格子の前記他端に配置されるか、またはその全てが、前記格子の前記両端に配置された複数の通信キュービットを含む、請求項１に記載の量子ネットワーキングノード。
【請求項１９】
モジュラー光学アーキテクチャを有する量子コンピューティングシステムにおいて、
各量子ネットワーキングノードが、
各メモリキュービットが１７１Ｙｂ＋原子イオンである複数のメモリキュービットと、
各通信キュービットが１３８Ｂａ＋原子イオンである１つまたは複数の通信キュービットを含む複数の量子ネットワーキングノードであって、前記複数のメモリキュービットと前記１つまたは複数の通信キュービットは、原子イオントラップ内の格子の一部であり、前記１つまたは複数の通信キュービットは、前記格子の一端、前記格子の他端、または前記格子の両端のいずれかに配置される複数の量子ネットワーキングノードと、
前記複数の量子ネットワーキングノードの各々に結合されたフォトニックエンタングラーと、
を備えた量子コンピューティングシステム。
【請求項２０】
前記複数の量子ネットワーキングノードの各々の各メモリキュービットは、前記それぞれの１７１Ｙｂ＋原子イオンの前記２Ｓ１／２基底状態超微細レベルで符号化されるように構成される、請求項１９に記載の量子コンピューティングシステム。
【請求項２１】
前記複数の量子ネットワーキングノードの各々の各通信キュービットは、前記１３８Ｂａ＋原子イオンの前記２Ｓ１／２基底状態電子スピンレベルを使用するように構成される、請求項１９に記載の量子コンピューティングシステム。
【請求項２２】
前記複数の量子ネットワーキングノードの第１の量子ネットワーキングノードの前記１つまたは複数の通信キュービットの第１の通信キュービットは、前記複数の量子ネットワーキングノードの第２の量子ネットワーキングノードの前記１つまたは複数の通信キュービットの１つとエンタングルされる、請求項１９に記載の量子コンピューティングシステム。
【請求項２３】
前記第１の量子ネットワーキングノードの前記１つまたは複数の通信キュービットの第２の通信キュービットは、前記複数の量子ワーキングノードの第３の量子ネットワーキングノードの前記１つまたは複数の通信キュービットの１つとエンタングルわされる、請求項２２に記載の量子コンピューティングシステム。
【請求項２４】
前記複数の量子ネットワーキングノードの１つの前記１つまたは複数の通信キュービットの任意の１つの前記１３８Ｂａ＋原子イオンは、蛍光により光子を放出するように構成され、前記放出された光子は、前記１３８Ｂａ＋原子イオンとエンタングルされる、請求項１９に記載の量子コンピューティングシステム。
【請求項２５】
前記放出された光子のスペクトルの少なくとも一部は、可視スペクトル内にある、請求項２４に記載の量子コンピューティングシステム。
【請求項２６】
前記フォトニックエンタングラーは、光通信スペクトルで動作するように構成された光ファイバを介して前記複数の量子ネットワーキングノードの各々に結合され、前記量子コンピューティングシステムはさらに、前記放出されたフォトンの可視スペクトルを前記光通信スペクトルに変換するための波長コンバータを備えた、請求項２５に記載の量子コンピューティングシステム。
【請求項２７】
前記光通信スペクトルは、約１３００−１５５０ｎｍの波長を含む、請求項２６に記載の量子コンピューティングシステム。
【請求項２８】
前記フォトニックエンタングラーは、前記光通信スペクトルと互換性のある１つまたは複数の光コンポーネントを含む、請求項２６に記載の量子コンピューティングシステム。
【請求項２９】
前記フォトニックエンタングラーは、前記複数の量子ネットワーキングノードからの任意の２つの量子ネットワーキングノード間のエンタングルメントを可能にする１つまたは複数の再構成可能な光スイッチを含む、請求項１９に記載の量子コンピューティングシステム。
【請求項３０】
前記複数の量子ネットワーキングノードの各々の前記１つまたは複数の通信キュービットは、その全てが前記格子の前記一端に配置されるか、またはその全てが前記格子の前記他端に配置されるか、またはそのいくつかが前記格子の前記一端に配置され、残りが前記格子の前記他端に配置される複数の通信キュービットを含む、請求項１９の量子コンピューティングシステム。
【請求項３１】
量子コンピューティングのためのモジュラー光学アーキテクチャに使用する量子ネットワーキングノードにおいて、
複数のメモリキュービットと、
１つまたは複数の通信キュービットと、
を備え、前記複数のメモリキュービットと、前記１つまたは複数の通信キュービットは、原子イオントラップ内の格子の一部であり、前記１つまたは複数の通信キュービットは、前記格子の一端、または前記格子の他端、または前記格子の両端に配置され、
前記メモリキュービットと前記通信キュービットは、異なるイオン種のペア、同種の異なるアイソトープのペア、異なるキュービット基底状態のペア、またはそれらの組み合わせから成る量子ネットワーキングノード。
【請求項３２】
前記異なるイオン種のペアは、Ｙｂ／Ｂａ、Ｃａ／Ｓｒ、またはＢｅ／Ｍｇの１つである、請求項３１に記載の量子ネットワーキングノード。
【請求項３３】
前記異なるイオン種のペアは、Ｃｄ、Ｚｎ、Ａｌの１つまたは複数を含む、請求項３１に記載の量子ネットワーキングノード。
【請求項３４】
前記異なるイオン種のペアは、Ｙｂ／Ｂａであり、Ｙｂのアイソトープは、少なくとも１７１Ｙｂ、１７４Ｙｂ、１７６Ｙｂおよび１７２Ｙｂを含むＹｂの複数のアイソトープから選択され、Ｂａのアイソトープは、少なくとも１３８Ｂａ、１３７Ｂａ、または１３３Ｂａの複数のアイソトープから選択される、請求項３１に記載の量子ネットワーキングノード。
【請求項３５】
前記異なるイオン種のペアは、Ｃａ／Ｓｒであり、Ｃａのアイソトープは、少なくとも４０Ｃａ、４３Ｃａを含む複数のＣａのアイソトープから選択され、Ｓｒのアイソトープは、少なくとも８８Ｓｒ、８７Ｓｒ、および８６Ｓｒを含むＳｒの複数のアイソトープから選択される、請求項３１に記載の量子ネットワーキングノード。
【請求項３６】
前記異なるイオン種のペアは、Ｂｅ／Ｍｇであり、Ｂｅのアイソトープは９Ｂｅであり、Ｍｇのアイソトープは、少なくとも２４Ｍｇ，２５Ｍｇ、２６Ｍｇの複数のアイソトープから選択される、請求項３１に記載の量子ネットワーキングノード。
【請求項３７】
前記同種の異なるアイソトープのペアは、少なくとも１７１Ｙｂ、１７４Ｙｂ、１７６Ｙｂおよび１７２Ｙｂを含む複数のＹｂアイソトープから異なるＹｂアイソトープを有する、請求項３１に記載の量子ネットワーキングノード。
【請求項３８】
前記同種の異なるアイソトープのペアは、少なくとも１３８Ｂａ、１３７Ｂａおよび１３３Ｂａを含む複数のＢａアイソトープからの異なるＢａアイソトープを有する、請求項３１に記載の量子ネットワーキングノード。
【請求項３９】
前記同種の異なるアイソトープのペアは、少なくとも４０Ｃａおよび４３Ｃａを含む複数のＣａアイソトープからの異なるＣａアイソトープを有する、請求項３１に記載の量子ネットワーキングノード。
【請求項４０】
前記同種の異なるアイソトープのペアは、少なくとも８８Ｓｒ、８７Ｓｒおよび８６Ｓｒを含む複数のＳｒアイソトープからの異なるＳｒアイソトープを有する、請求項３１に記載の量子ネットワーキングノード。
【請求項４１】
前記同種の異なるアイソトープのペアは、少なくとも２４Ｍｇ、２５Ｍｇ、および２６Ｍｇを含む複数のＭｇアイソトープからの異なるＭｇアイソトープを有する、請求項３１に記載の量子ネットワーキングノード。
【請求項４２】
前記異なるキュービット基底状態のペアは、超微細状態、ジーマン状態、および光学状態からの２つの異なるキュービット状態を含む、請求項３１に記載の量子ネットワーキングノード。
【請求項４３】
前記複数のメモリキュービットの各々と、前記１つまたは複数の通信キュービットの各々は、超微細状態、ジーマン状態、または光学状態からのキュービット基底状態の選択を有する、請求項３１に記載の量子ネットワーキングノード。
【国際調査報告】
2021508382.tif 000031
2021508382.tif 000032
2021508382.tif 000033